(57)【要約】オストミー器具のための皮膚バリアは、皮膚バリア材料の少なくとも１つの層と、皮膚バリアの皮膚接触面上又は皮膚接触層内にのみ提供された皮膚に優しい成分とを含む。
2020523081.tif 000002
【特許請求の範囲】
【請求項１】
少なくとも１種の皮膚バリア材料又は少なくとも１種のストーマ封止材料から形成されたオストミー器具であって、前記オストミー器具の皮膚接触面上にのみ又は皮膚接触層内にのみ提供された少なくとも１種の皮膚に優しい成分を含む、オストミー器具。
【請求項２】
裏打ち層と、皮膚バリアと、ストーマを受け入れるための入口開口部とを含むオストミーウェハであり、
前記皮膚バリアは、前記少なくとも１種の皮膚バリア材料から形成され、
前記裏打ち層は、前記皮膚バリアの遠位面に積層され、前記少なくとも１種の皮膚バリア材料は、親水コロイド接着剤である、請求項１に記載のオストミー器具。
【請求項３】
前記少なくとも１種の皮膚に優しい成分は、前記皮膚バリアの皮膚接触面上にのみ提供される、請求項２に記載のオストミー器具。
【請求項４】
前記皮膚バリアは、皮膚接触層及び内層を含み、
前記少なくとも１種の皮膚に優しい成分は、前記皮膚接触層内に分散されており、
前記皮膚接触層の厚さは、前記内層の厚さ未満である、請求項２に記載のオストミー器具。
【請求項５】
前記オストミーウェハは、ワンピースオストミーパウチシステムのためのパウチに取り付けられる、請求項２〜４のいずれか一項に記載のオストミー器具。
【請求項６】
前記オストミーウェハは、ツーピースオストミーパウチシステムのパウチに取り付けられたパウチ側連結リングと係合するように構成された身体側連結リングを含む、請求項２〜４のいずれか一項に記載のオストミー器具。
【請求項７】
前記少なくとも１種のストーマ封止材料から形成されたストーマリングであり、
前記少なくとも１種のストーマ封止材料は、親水コロイド接着剤及び／又はシリコーン接着剤を含む、請求項１に記載のオストミー器具。
【請求項８】
前記少なくとも１種の皮膚に優しい成分は、前記ストーマリングの外面にのみ提供される、請求項７に記載のオストミー器具。
【請求項９】
前記ストーマリングは、第１の外層と、第２の外層と、前記第１の外層と前記第２の外層との間に配置された内層とを含み、
前記少なくとも１種の皮膚に優しい成分は、前記第１の外層及び前記第２の外層内に分散されている、請求項７又は８に記載のオストミー器具。
【請求項１０】
前記少なくとも１種の皮膚に優しい成分は、パターンで提供される、請求項１〜９のいずれか一項に記載のオストミー器具。
【請求項１１】
前記少なくとも１種の皮膚に優しい成分は、少なくとも２つの同心円を含む前記パターンで提供される、請求項１０に記載のオストミー器具。
【請求項１２】
前記少なくとも１種の皮膚に優しい成分は、厚さを有するパターンで前記皮膚接触面上に提供され、
前記少なくとも１種の皮膚に優しい成分は、前記皮膚接触面に近接して前記少なくとも１種の皮膚バリア材料又は前記少なくとも１種のストーマ封止材料内に注入される、請求項１〜１２のいずれか一項に記載のオストミー器具。
【請求項１３】
前記少なくとも１種の皮膚に優しい成分は、ビタミンＥ、セラミド、コレステロール、脂肪酸、ｐＨ緩衝剤のマイクロポケット、多糖及び抗しわ剤から選択される、請求項１〜１２のいずれか一項に記載のオストミー器具。
【請求項１４】
オストミー器具を製造する方法であって、
少なくとも１種の皮膚バリア材料又は少なくとも１種のストーマ封止材料から前記オストミー器具を形成するステップと、
少なくとも１種の皮膚に優しい成分を前記オストミー器具の皮膚接触面上にのみ又は皮膚接触層内にのみ提供するステップと
を含む方法。
【請求項１５】
前記少なくとも１種の皮膚に優しい成分は、ビタミンＥ、セラミド、コレステロール、脂肪酸、ｐＨ緩衝剤のマイクロポケット、多糖及び抗しわ剤から選択される、請求項１４に記載の方法。
【請求項１６】
少なくとも１種の皮膚に優しい成分を提供する前記ステップは、
前記少なくとも１種の皮膚に優しい成分を粉末形態で提供することと、
前記オストミー器具の前記皮膚接触面上に前記少なくとも１種の皮膚に優しい成分を散在させること
とを含む、請求項１４又は１５に記載の方法。
【請求項１７】
少なくとも１種の皮膚に優しい成分を提供する前記ステップは、
溶剤又は水に前記少なくとも１種の皮膚に優しい成分を溶解することと、
前記オストミー器具の前記皮膚接触面上に前記少なくとも１種の皮膚に優しい成分を噴霧すること
とを含む、請求項１４又は１５に記載の方法。
【請求項１８】
前記オストミー器具は、前記少なくとも１種の皮膚バリア材料又は前記少なくとも１種のストーマ封止材料をリリースライナ上に押し付けることによって形成され、
前記少なくとも１種の皮膚に優しい成分は、前記押し付けるステップ前に前記リリースライナに塗布され、
それにより、前記少なくとも１種の皮膚バリア材料又は前記少なくとも１種のストーマ封止材料が押し付けられ、かつ前記リリースライナが除去されると、前記少なくとも１種の皮膚に優しい成分は、前記少なくとも１種の皮膚バリア材料又は前記少なくとも１種のストーマ封止材料の前記皮膚接触面に移動する、請求項１４又は１５に記載の方法。
【請求項１９】
前記オストミー器具は、
皮膚バリア材料又はストーマ封止材料から形成された前記皮膚接触層と、
皮膚バリア材料又はストーマ封止材料から形成された内層と
を含み、
前記皮膚接触層及び前記内層は、同時押出成形され、
前記皮膚接触層の皮膚バリア配合物又はストーマ封止配合物は、前記少なくとも１種の皮膚に優しい成分を含んで、前記皮膚接触層内に分散された前記少なくとも１種の皮膚に優しい成分を含む前記皮膚接触層を形成する、請求項１４又は１５に記載の方法。
【請求項２０】
少なくとも１種の皮膚に優しい成分を提供する前記ステップは、マイクロニードルを含むデバイスを使用して、前記皮膚接触面に近接して前記オストミー器具内に前記少なくとも１種の皮膚に優しい成分を注入することを含む、請求項１４又は１５に記載の方法。
【発明の詳細な説明】
【技術分野】
【０００１】
本開示は、皮膚接着デバイスに関し、より詳細には、オストミー器具を使用者の皮膚表面に固定するための皮膚バリアに関する。
【背景技術】
【０００２】
オストミー器具は、結腸又は小腸の一部をそらすための外科手術の結果として典型的に作られるストーマからの老廃物を取集するための手段を提供する医療デバイス又は人工装具である。オストミー器具の１つのタイプは、ストーマ又はストーマ周囲領域の周りで使用者に取り付けられるパウチである。
【０００３】
典型的には、皮膚バリアと、裏打ち層と、ストーマを受け入れるための入口開口部とを含むオストミーウェハを使用してオストミーパウチを使用者に固定する。オストミーウェハは、ワンピースパウチシステムのためのオストミーパウチに取り付けられ得る。代わりに、オストミーウェハは、オストミーパウチに取り付けられたパウチ側連結部と係合するように構成される身体側連結部を含むツーピースパウチシステムのための面板として構成され得る。
【０００４】
皮膚バリアは、オストミーパウチを固定するために長期間使用者の皮膚に付着したままであり得る。したがって、皮膚バリアは、十分な接着強度を有していなければならないが、使用中及び除去時に皮膚損傷又は刺激のリスクがあるほどに強力過ぎてはならない。装着時間が長いため、皮膚バリアは、皮膚の刺激を最小限にし、且つ皮膚の健康を促進する成分を含むことが望ましい。
【発明の概要】
【課題を解決するための手段】
【０００５】
セラミドを含む皮膚バリアが開発されており、本出願の出願人から商標名ＣｅｒａＰｌｕｓ（登録商標）で入手可能である。しかしながら、皮膚バリアにセラミド等の皮膚健康成分を追加することは、コストがかかることになる可能性があり、皮膚の健康によい成分と皮膚バリア材料との間の相互作用があり得るために限定される可能性がある。さらに、皮膚バリアマトリックス内に分散された皮膚に優しい成分の大部分が皮膚接触面に移動しない可能性がある。したがって、本開示は、皮膚に優しい成分を含む改善された皮膚バリアを提供する。
【０００６】
一態様では、少なくとも１種の皮膚に優しい成分を含むオストミー器具が提供される。オストミー器具は、少なくとも１種の皮膚バリア材料又は少なくとも１種のストーマ基部封止材料から形成され得る。少なくとも１種の皮膚に優しい成分は、オストミー器具の皮膚接触面上にのみ又は皮膚接触層内にのみ提供され得る。
【０００７】
実施形態では、オストミー器具は、裏打ち層と、皮膚バリアと、ストーマを受け入れるための入口開口部とを含むオストミーウェハであり得る。皮膚バリアは、少なくとも１種の皮膚バリア材料から形成され得る。また、裏打ち層は、皮膚バリアの遠位面に積層され得る。少なくとも１種の皮膚バリア材料は、親水コロイド接着剤であり得る。
【０００８】
少なくとも１種の皮膚に優しい成分は、皮膚バリアの皮膚接触面上にのみ提供され得る。いくつかの実施形態では、皮膚バリアは、皮膚接触層及び内層を含み得る。ここで、少なくとも１種の皮膚に優しい成分は、皮膚接触層内に分散され得る。こうした実施形態では、皮膚接触層の厚さは、内層の厚さ未満であり得る。
【０００９】
実施形態では、オストミーウェハは、ワンピースオストミーパウチシステムのためのパウチに取り付けられ得る。別の実施形態では、オストミーウェハは、ツーピースオストミーパウチシステムのパウチに取り付けられたパウチ側連結リングと係合するように構成された身体側連結リングをさらに含み得る。
【００１０】
別の実施形態では、オストミー器具は、少なくとも１種のストーマ封止材料から形成されたストーマリングであり得る。少なくとも１種のストーマ封止材料は、親水コロイド接着剤及び／又はシリコーン接着剤を含み得る。少なくとも１種の皮膚に優しい成分は、ストーマリングの外面にのみ提供され得る。
【００１１】
実施形態では、ストーマリングは、第１の外層と、第２の外層と、第１の外層と第２の外層との間に配置された内層とを含み得る。ここで、少なくとも１種の皮膚に優しい成分は、第１の外層及び第２の外層内に分散され得る。
【００１２】
上述した実施形態の任意のものでは、少なくとも１種の皮膚に優しい成分は、パターンで提供され得る。例えば、少なくとも１種の皮膚に優しい成分は、同心円のパターンで提供され得る。実施形態では、少なくとも１種の皮膚に優しい成分は、厚さを有するパターンで皮膚接触面上に提供され得る。ここで、少なくとも１種の皮膚に優しい成分は、皮膚接触面に近接して少なくとも１種の皮膚バリア材料又は少なくとも１種のストーマ封止材料内に注入され得る。
【００１３】
さらに別の態様では、オストミー器具を製造する方法が提供される。本方法は、少なくとも１種の皮膚バリア材料又は少なくとも１種のストーマ封止材料からオストミー器具を形成するステップと、少なくとも１種の皮膚に優しい成分を皮膚接触面上にのみ又は皮膚接触層内にのみ提供するステップとを含み得る。
【００１４】
実施形態では、少なくとも１種の皮膚に優しい成分を提供するステップは、少なくとも１種の皮膚に優しい成分を粉末形態で提供することと、オストミー器具の皮膚接触面上に少なくとも１種の皮膚に優しい成分を散在させることとを含み得る。別の実施形態では、少なくとも１種の皮膚に優しい成分を提供するステップは、溶剤又は水に少なくとも１種の皮膚に優しい成分を溶解することと、オストミー器具の皮膚接触面上に少なくとも１種の皮膚に優しい成分を噴霧することとを含み得る。さらに別の実施形態では、少なくとも１種の皮膚に優しい成分を提供するステップは、マイクロニードルを含むデバイスを使用して、皮膚接触面に近接してオストミー器具内に少なくとも１種の皮膚に優しい成分を注入することを含み得る。
【００１５】
さらに別の実施形態では、オストミー器具は、少なくとも１種の皮膚バリア材料又は少なくとも１種のストーマ封止材料をリリースライナ上に押し付けることによって形成され得る。こうした実施形態では、本方法は、押し付けるステップ前に少なくとも１種の皮膚に優しい成分をリリースライナに塗布するステップであって、それにより、皮膚バリア材料が押し付けられ、かつリリースライナが除去されると、少なくとも１種の皮膚に優しい成分は、少なくとも１種の皮膚バリア材料又は少なくとも１種のストーマ封止材料の皮膚接触面に移動する、ステップを含み得る。押し付けるステップは、オストミー器具の製造中に実施され得る。別の実施形態では、使用者は、リリースライナを除去する前に押し付けるステップを実行するように指示され得る。
【００１６】
実施形態では、オストミー器具は、皮膚バリア材料又はストーマ封止材料から形成された皮膚接触層と、皮膚バリア材料又はストーマ封止材料から形成された内層とを含み得る。皮膚接触層及び内層は、同時押出成形され得る。ここで、皮膚接触層の皮膚バリア配合物又はストーマ封止配合物は、少なくとも１種の皮膚に優しい成分を含んで、皮膚接触層内に分散された少なくとも１種の皮膚に優しい成分を含む皮膚接触層を形成することができる。
【００１７】
上述した実施形態の任意のものでは、少なくとも１種の皮膚に優しい成分は、ビタミンＥ、セラミド、コレステロール、脂肪酸、ｐＨ緩衝剤のマイクロポケット、多糖及び抗しわ剤等、皮膚を保護し、皮膚の刺激を低減させ、治癒を補助し、且つ／又は皮膚の健康を促進するさまざまな物質から選択され得る。
【００１８】
上述した実施形態による、少なくとも１種の皮膚に優しい成分を皮膚接触面上にのみ又は皮膚接触層内にのみ提供する方法は、創傷ケア製品等、他の皮膚接触製品を作製するために使用され得る。
【００１９】
他の態様、目的及び利点は、添付図面と併せて以下の詳細な説明からより明らかになるであろう。
【００２０】
本実施形態の利益及び利点は、以下の詳細な説明及び添付図面を検討した後に当業者により容易に明らかになるであろう。
【図面の簡単な説明】
【００２１】
【図１】実施形態による皮膚バリアを含むオストミーウェハの斜視図である。
【図２】線Ａ−Ａに沿った図１のオストミーウェハの断面図である。
【図３】リリースライナがオストミーウェハから除去された、図１のオストミーウェハの断面図である。
【図４】実施形態による図１のオストミーウェハを含むワンピースオストミーパウチシステムの概略図である。
【図５】実施形態による、身体側連結リングと図１のオストミーウェハとを含むツーピースオストミーパウチシステムのための面板の断面図である。
【図６】実施形態による、パウチ側連結リングを含むツーピースオストミーパウチシステムのためのパウチの斜視図である。
【図７】別の実施形態によるオストミーウェハの断面図である。
【図８】さらに別の実施形態によるオストミーウェハの断面図である。
【図９】実施形態による、あるパターンの皮膚に優しい成分を含むオストミーバリアの概略上面図である。
【図１０】実施形態によるストーマリングの概略上面図である。
【図１１】図１０のストーマリングの断面図である。
【発明を実施するための形態】
【００２２】
本開示は、さまざまな形態の実施形態が可能であるが、本開示は、例示とみなされるべきであり、且つ例示する具体的な実施形態に本開示を限定するように意図されていないという理解のもとに、現時点で好ましい実施形態を図面に示し、以下に説明する。
【００２３】
図１〜図３を参照すると、オストミー器具のためのオストミーウェハ１０の実施形態が示されている。オストミーウェハ１０は、概して、皮膚バリア１２と、裏打ち層１４と、リリースライナ１６と、ストーマを受け入れるための入口開口部２０とを含み得る。図３に最もよく示されるように、皮膚バリア１２は、皮膚バリア１２の皮膚接触面２２にのみ提供された皮膚に優しい成分１８を含み得る。
【００２４】
皮膚に優しい成分は、コラーゲンブースター等、皮膚を保護し、皮膚の刺激を低減させ、治癒を補助し、且つ／又は皮膚の健康を促進する物質を含み得る。好適な皮膚に優しい成分としては、限定されないが、ビタミンＥ、ビタミンＡ、ビタミンＣ、アロエベラエキス、セラミド、コレステロール、脂肪酸、カラヤ等の多糖、抗しわ剤、ギンコライドＡ等の抗炎症／無痛化剤、加水分解コラーゲン、α−アミリン、β−アミリン、オレアノール酸及びアルクロキサ等の発汗抑制剤が挙げられる。実施形態では、皮膚に優しい成分１８は、抗菌剤、抗ウイルス剤、抗炎症剤及び／又はオストメイトに多い真菌感染に有効であり得る抗真菌薬として機能し得る脂肪酸を含み得る。例えば、皮膚に優しい成分１８は、抗菌、抗真菌及び抗炎症特性を有するココナッツオイルからの脂肪酸を含み得る。別の実施形態では、皮膚に優しい成分１８は、バリア接着を促進するために平滑面を提供するように、ストーマ基部に近接する皮膚の裂け目を最小限にするために抗しわ剤を含み得る。例えば、皮膚に優しい成分は、抗しわ、抗菌及び抗炎症特性を有するローズオイルを含み得る。さらに別の実施形態では、皮膚に優しい成分１８は、ストーマ排出物にさらされると放出するように構成されたマイクロカプセル化鎮痛成分を含み得る。皮膚に優しい成分１８は、ｐＨ緩衝剤のマイクロポケットも含み得る。
【００２５】
皮膚に優しい成分は、さまざまな形態、例えば微粉、液体又はＳａｌｖｏｎａ，Ｈａｍｉｌｔｏｎ，ＮＪから入手可能なカプセル化皮膚健康配合物等のカプセル化の形態で提供され得る。いくつかの皮膚に優しい成分は、溶剤又は水に溶解され得る。
【００２６】
皮膚バリア１２は、皮膚に優しい接着性組成物内に分散された吸水性親水コロイド粒子を含むさまざまな親水コロイド接着剤等、好適な医療グレード接着剤から形成され得る。実施形態では、皮膚バリア１２は、ポリイソブチレン及びスチレンブロックコポリマー等の粘弾性接着性エラストマー、粘着付与剤、酸化防止剤及びカルボキシメチルセルロースナトリウム等の親水コロイドを含む接着性組成物から形成され得る。こうした親水コロイド接着性組成物の例は、本出願の出願人に譲渡され、且つ参照により完全に本明細書に援用される米国特許第５，４９２，９４３号明細書に開示されている。他の好適な皮膚バリア材料としては、限定されないが、シリコーン系接着剤及びアクリル接着剤を挙げることができる。
【００２７】
実施形態では、ゼラチン状マイクロシェルにカプセル化されたビタミンＥの粒子等、少なくとも１種の皮膚に優しい成分をリリースライナ１６上に散在させることができる。リリースライナ１６は、その後、皮膚バリア１２に貼り合わされる。オストミーウェハ１０は、使用前にリリースライナ１６が除去されると、図３に示すように、皮膚に優しい成分１８が皮膚バリア１２に移動して、皮膚に優しい成分１８が皮膚接触面２２にのみ提供された皮膚バリア１２を提供するように構成され得る。皮膚バリアマトリックス全体を通して分散された皮膚に優しい成分を含む皮膚バリアと比較した場合、オストミーウェハ１０は、必要とする皮膚に優しい成分が著しく少なくなり、それにより実質的なコスト削減を提供し得る。さらに、皮膚に優しい成分は、皮膚バリアの皮膚接触面にのみ提供されるため、皮膚に優しい成分のほぼすべてが使用者の皮膚と接触して、皮膚に優しい成分によって提供される利益を最大限にすることができる。
【００２８】
いくつかの製造プロセスでは、皮膚に優しい成分は、皮膚バリアクッキー（cookie）がリリースライナ又はフィルム上に押し付けられる前にリリースライナ又はフィルムに塗布されて、皮膚に優しい成分が皮膚バリアに移動することを可能にし得る。皮膚に優しい成分は、リリースライナ若しくはフィルム上に粉末形態で散在され得るか、又は溶剤若しくは水に溶解されてリリースライナ若しくはフィルム上に噴霧され得る。いくつかの実施形態では、皮膚に優しい成分は、皮膚バリアの皮膚接触面上に直接塗布され得る。さらに、皮膚に優しい成分は、皮膚バリア粘着力及び／又は腐食等の他の皮膚バリア特性を改善する等、追加の機能を提供するように配合され得る。
【００２９】
裏打ち層１４は、気体透過性、耐水性材料等の好適な材料から形成され得る。好ましくは、裏打ち層１４は、身体の輪郭及び身体の動きに容易に沿うように可撓性が高く、且つ比較的強固であるとともに耐久性がある。
【００３０】
オストミーウェハ１０は、図４に示すように、ワンピースオストミーパウチ３０のためのパウチ３２に取り付けられ得る。代わりに、オストミーウェハ１０は、図５及び図６に示すように、ツーピースオストミーパウチシステムのためのパウチ側連結リング４４と係合するように構成された身体側連結リング４２を含む面板４０を作製するために使用され得る。
【００３１】
図７は、別の実施形態によるオストミーウェハ１００の断面図である。オストミーウェハ１００は、２層皮膚バリア１１０と、裏打ち層１１６と、ストーマを受け入れるための入口開口部１２０とを含み得る。２層皮膚バリア１１０は、皮膚に優しい成分１１８を含む第１の皮膚バリア層１１２と、第２の皮膚バリア層１１４とを含み得る。皮膚に優しい成分１１８は、第１の皮膚バリア層１１０内に分散され得る。実施形態では、２層皮膚バリア１１０は、既知の同時押出成形プロセスによって形成され得る。ここで、皮膚に優しい成分は、第１の皮膚バリア層１１０のための接着性配合物と混合され、押出成形される。第１の皮膚バリア層１１２及び第２の皮膚バリア層１１４は、同じ又は異なる接着性配合物から形成され得る。
【００３２】
いくつかの実施形態では、第１の皮膚バリア層１１２は、第２の皮膚バリア層１１２より薄い。例えば、第１の皮膚バリア層１１２の厚さは、第２の皮膚バリア層１１４の厚さの約５０％未満、好ましくは約２５％未満、より好ましくは約１５％未満であり得る。
【００３３】
図８は、さらに別の実施形態によるオストミーウェハ２００の断面図である。ウェハ２００は、第１の接着剤２１２と、第２の接着剤２１４と、裏打ち層２１６と、ストーマを受け入れるための入口開口部２２４とを含み得る。第１の接着剤２１２は、皮膚接触面２２０にのみ提供された皮膚に優しい成分２１８を含み得る。第１の接着剤２１２は、親水性接着剤及び上述した実施形態において考察した皮膚バリア材料等、ストーマ周囲領域と係合し、且つそれを封止することができる好適な柔軟且つ粘着性の接着性配合物から形成され得る。第２の接着剤２１４は、シリコーン接着剤又はアクリル接着剤等、親水性接着剤又は疎水性接着剤から形成され得る。第１の接着剤２１２及び第２の接着剤２１４は、同じ接着性配合物又は異なる接着性配合物から形成され得る。実施形態では、第１の接着剤２１２は、第１の皮膚接触層及び第２の層を含み得る。ここで、皮膚に優しい成分は、第１の皮膚接触層内に分散されている。いくつかの実施形態では、皮膚に優しい成分は、第２の接着剤２１４の皮膚接触面２２２にも提供され得る。
【００３４】
いくつかの実施形態では、皮膚に優しい成分は、皮膚接触面の一部に提供され得る。例えば、皮膚に優しい成分３１８は、図９に示すように、オストミー皮膚バリア３１２上に同心円３３０、３３２、３３４のパターンで提供され得る。図９の皮膚に優しい成分３１８のパターンは、３つの同心円を含む。しかし、皮膚に優しい成分のパターンは、他の実施形態では、１つ若しくは２つの円又は４つ以上の円を含み得る。皮膚に優しい成分は、皮膚バリアの皮膚接触面上にさまざまな異なるパターンでも提供され得る。
【００３５】
実施形態では、皮膚バリア材料の層に組み込まれた皮膚に優しい成分を含む皮膚バリア材料の層は、所望のパターンで形成され、オストミー皮膚バリアの皮膚接触面に積層され得る。例えば、皮膚に優しい成分を含む、オストミー皮膚バリア３１２と同じ又は異なる皮膚接着剤から形成され得る皮膚バリア材料の層は、同心円として形成され、オストミー皮膚バリア３１２に積層されて、図９に示すような同心円３３０、３３２、３３４のパターンを形成することができる。別の実施形態では、皮膚に優しい成分は、製造中の皮膚に優しい成分のいかなる廃棄物も最小限にするように、例えばマイクロニードルを使用して、所望の形状、パターン及び深さで皮膚接触面に近接してオストミー皮膚バリア内に注入され得る。例えば、マイクロカプセル化された皮膚に優しい成分等、皮膚に優しい成分３１８は、同心円３３０、３３２、３３４のパターンを形成するようにオストミー皮膚バリア３１２内に注入され得る。実施形態では、親水コロイド接着剤及び不織布が膨張し且つ持ち上げられることを最小限にするか又は防止するため、疎水性の皮膚に優しい接着剤は、オストミー皮膚バリアの皮膚に面する側の外周部の輪郭に沿うように提供され得る。
【００３６】
図１０及び図１１は、実施形態によるストーマリング４００を示す。ストーマリング４００は、概して、ストーマ封止材料４１２を含み得る。また、皮膚に優しい成分４１８は、ストーマリング４００の外面に提供する。ストーマ封止材料４１２は、親水コロイド接着剤及びシリコーン接着剤等、ストーマの周囲を封止するのに好適な医療グレード封止材料から形成され得る。皮膚に優しい成分４１８は、上述した実施形態の皮膚に優しい成分１８、１１８、２１８、３１８と同様に、ストーマリング４００の外面の少なくとも一部に提供され得る。実施形態では、ストーマリング４００は、２つの外層と、２つの外層間に配置された内層とを含み得る。ここで、外層は、それに組み込まれた皮膚に優しい成分を含む。
【００３７】
皮膚に優しい成分は、ストーマ排出物で充填されているオストミーパウチを支持し、且つストーマの周囲の漏れのないシールを維持するために十分な粘着性及び接着性を維持しながら、使用者のストーマ周囲皮膚に対する利益を最大限にするようにオストミー皮膚バリア又はストーマリングの少なくとも一部に提供されるか又は組み込まれ得る。実施形態では、皮膚に優しい成分は、皮膚に優しい成分を含むオストミー皮膚バリア又はストーマリングが、皮膚に優しい成分のないオストミー皮膚バリア又はストーマリングの本来のバリア特性の少なくとも約８５％を維持することができるように提供され得る。好ましくは、皮膚に優しい成分を含むオストミー皮膚バリア及びストーマリングは、皮膚に優しい成分のないオストミー皮膚バリア又はストーマリングと実質的に同じバリア特性を有することができる。さらに、皮膚に優しい成分を含むオストミーバリア又はストーマリングは、オストミー皮膚バリア又はストーマリングの使用後の使用者からの剥離可能性又は除去可能性が、オストミーバリア又はストーマリングのものと略同じであるように構成され得る。
【００３８】
皮膚に優しい成分を皮膚接触面上又は皮膚接触層内にのみ含む皮膚バリアは、創傷ドレッシング等、他の皮膚接着デバイスにも使用され得る。
【００３９】
本明細書において参照されるすべての特許は、本開示の本文において具体的に示されていてもいなくても、それらの全体が参照により本明細書に援用される。
【００４０】
本開示において、「１つの（ａ）」又は「１つの（ａｎ）」という用語は、単数及び複数の両方を含むように解釈される。反対に、複数の項目に対するいかなる言及も、適切な場合には単数を含むものとする。
【００４１】
上述したことから、本開示の新規な概念の真の趣旨及び範囲から逸脱することなく、多くの変更形態及び変形形態が実施され得ることが認められるであろう。例示した具体的な実施形態に関するいかなる限定も意図されず、又は推測されるべきではないことが理解される。本開示は、添付の特許請求の範囲により、請求項の範囲内にあるこうしたすべての変更形態を包含するように意図される。
【図１】
2020523081.tif 000003
【図２】
2020523081.tif 000004
【図３】
2020523081.tif 000005
【図４】
2020523081.tif 000006
【図５】
2020523081.tif 000007
【図６】
2020523081.tif 000008
【図７】
2020523081.tif 000009
【図８】
2020523081.tif 000010
【図９】
2020523081.tif 000011
【図１０】
2020523081.tif 000012
【図１１】
2020523081.tif 000013
【国際調査報告】
2020523081.tif 000014
2020523081.tif 000015
2020523081.tif 000016